(57)【要約】      （修正有）【課題】３つ以上の国や地域の時刻を表示可能で小型化することができる時計および時計の制御方法を提供する。【解決手段】時計１００は、複数の地域時刻情報から少なくとも３つの地域時刻情報を選択可能な第一選択部１０４と、少なくとも３つの地域時刻表示情報のいずれか１つを表示する１つの指針群１２０Ａ、１２０Ｂ、１２０Ｃ、１２０Ｅと、少なくとも３つの地域時刻表示情報の中から１つの指針群１２０Ａ、１２０Ｂ、１２０Ｃ、１２０Ｅに表示させる地域時刻表示情報を選択する第二選択部１０４と、を備える。【選択図】図１
2018112426.tif 000002
【特許請求の範囲】
【請求項１】
複数の地域時刻情報から少なくとも３つの地域時刻情報を選択可能な第一選択部と、
前記少なくとも３つの地域時刻表示情報のいずれか１つを表示する１つの指針群と、
前記少なくとも３つの地域時刻表示情報の中から前記１つの指針群に表示させる地域時刻表示情報を選択する第二選択部と、
を備える時計。
【請求項２】
外部機器から情報を受信可能な通信部、を備え、
前記第一選択部は、前記通信部が受信した前記情報に基づいて、前記少なくとも３つの地域時刻情報を選択する、請求項１に記載の時計。
【請求項３】
前記第二選択部の選択により前記１つの指針群に表示された１つの地域時刻表示は、前記通信部により信号を受信した場合に、前記外部機器の位置する地域が属する地域時刻情報に応じた時刻に設定され、
前記第二選択部の選択により前記１つの指針群に表示されない少なくとも２つの地域時刻表示は、前記通信部により信号を受信した場合であっても、前記外部機器の位置する地域が属する地域時刻情報に応じた時刻に設定されない、請求項２に記載の時計。
【請求項４】
利用者が設定する地域時刻情報が表示される第２の指針群を備える、請求項１から請求項３のいずれか１項に記載の時計。
【請求項５】
前記第二選択部が選択した内容を示す小表示部を備える、請求項１から請求項４のいずれか１項に記載の時計。
【請求項６】
都市情報、時差情報を含むタイムゾーン情報、午前または午後であることを示す情報のうち少なくとも１つを、前記指針群を構成する１つの指針で指し示す、請求項１から請求項５のいずれか１項に記載の時計。
【請求項７】
竜頭を備え、
前記第二選択部は、前記竜頭の回転角度に応じて、前記少なくとも３つの地域時刻表示情報の中から前記１つの指針群に表示させる地域時刻表示情報を選択する、請求項１に記載の時計。
【請求項８】
第一選択部が、複数の地域時刻情報から少なくとも３つの地域時刻情報を選択可能な第一選択ステップと、
１つの指針群が、前記少なくとも３つの地域時刻表示情報のいずれか１つを表示する表示ステップと、
第二選択部が、前記少なくとも３つの地域時刻表示情報の中から前記１つの指針群に表示させる地域時刻表示情報を選択する第二選択ステップと、
を含む時計の制御方法。
【発明の詳細な説明】
【技術分野】
【０００１】
本発明は、時計および時計の制御方法に関する。
に関する。
【背景技術】
【０００２】
今いる場所に関連する時刻以外に、他の地域の時刻を知りたいという要望があった。このため、複数の異なる時刻の表示機能を備えた時計が様々、考案されている。特に、ワールドタイムモードを備え、各都市の時刻表示を行う時計がある（例えば、特許文献１参照）。
【先行技術文献】
【特許文献】
【０００３】
【特許文献１】特許第３１５０８５２号公報
【発明の概要】
【発明が解決しようとする課題】
【０００４】
従来技術等の一般的なワールドタイム機能を備えた時計においては、多数の都市から所望の都市を見つけ出し都市選択を行う必要があるため、複数の所望の都市の時刻を確認するためには、複数回のボタン操作を行う等、操作が煩雑になるおそれがあった。そこで、例えば、1つの文字盤に２つの時刻表示機能を備えることで、２つの都市（タイムゾーン）の時刻を表示可能とすることが考えられる。
【０００５】
しかしながら、例えば、頻繁に知りたい都市数が増えると、その数に応じた時刻表示機能を追加する必要が生じ、例えば、３つ以上の都市（タイムゾーン）の時刻を頻繁に知りたい場合には、３箇所の時刻表示機能を付ける必要性も生じ、小型化や操作性の面から、時計としての利便性が損なわれるおそれが生じる。
【０００６】
本発明は、上記の事情に鑑みてなされたものであって、３つ以上の国や地域の時刻を利用する際に利便性の高い時計および時計の制御方法を提供することを目的としている。
【課題を解決するための手段】
【０００７】
上記目的を達成するため、本発明の一態様に係る時計は、複数の地域時刻情報から少なくとも３つの地域時刻情報を選択可能な第一選択部と、前記少なくとも３つの地域時刻表示情報のいずれか１つを表示する１つの指針群と、前記少なくとも３つの地域時刻表示情報の中から前記１つの指針群に表示させる地域時刻表示情報を選択する第二選択部と、を備える。
【０００８】
また、本発明の一態様に係る時計において、外部機器から情報を受信可能な通信部、を備え、前記第一選択部は、前記通信部が受信した前記情報に基づいて、前記少なくとも３つの地域時刻情報を選択するようにしてもよい。
【０００９】
また、本発明の一態様に係る時計において、前記第二選択部の選択により前記１つの指針群に表示された１つの地域時刻表示は、前記通信部により信号を受信した場合に、前記外部機器の位置する地域が属する地域時刻情報に応じた時刻に設定され、前記第二選択部の選択により前記１つの指針群に表示されない少なくとも２つの地域時刻表示は、前記通信部により信号を受信した場合であっても、前記外部機器の位置する地域が属する地域時刻情報に応じた時刻に設定されないようにしてもよい。
【００１０】
また、本発明の一態様に係る時計において、利用者が設定する地域時刻情報が表示される第２の指針群を備えるようにしてもよい。
【００１１】
また、本発明の一態様に係る時計において、前記第二選択部が選択した内容を示す小表示部を備えるようにしてもよい。
【００１２】
また、本発明の一態様に係る時計において、都市情報、時差情報を含むタイムゾーン情報、午前または午後であることを示す情報のうち少なくとも１つを、前記指針群を構成する１つの指針で指し示すようにしてもよい。
また、本発明の一態様に係る時計において、竜頭を備え、第二選択部は、竜頭の回転角度に応じて、少なくとも３つの地域時刻表示情報の中から１つの指針群に表示させる地域時刻表示情報を選択してもよい。
【００１３】
上記目的を達成するため、本発明の一態様に係る時計の制御方法は、第一選択部が、複数の地域時刻情報から少なくとも３つの地域時刻情報を選択可能な第一選択ステップと、１つの指針群が、前記少なくとも３つの地域時刻表示情報のいずれか１つを表示する表示ステップと、第二選択部が、前記少なくとも３つの地域時刻表示情報の中から前記１つの指針群に表示させる地域時刻表示情報を選択する第二選択ステップと、を含む。
【発明の効果】
【００１４】
本発明によれば、３つ以上の国や地域の時刻を利用する際に利便性の高い時計を提供できる。
【図面の簡単な説明】
【００１５】
【図１】本実施形態に係る時計システムの構成例を示すブロック図である。
【図２】本実施形態に係る時計の秒針、分針、時針、分針、時針、日車、および指示部の配置例を示す図である。
【図３】本実施形態に係る第２のタームゾーンの表示例を示す図である。
【図４】本実施形態に係る第３のタームゾーンの表示例を示す図である。
【図５】本実施形態に係る第１のタームゾーンの他の表示例を示す図である。
【図６】本実施形態に係る主時計と小時計それぞれを２４時間表示させる例を示す図である。
【図７】本実施形態に係る時計の入力部の操作による主時計と小時計に表示される時刻の関係の一例を示す図である。
【図８】本実施形態に係る通信機器上で動作するタイムゾーンを設定するアプリケーションの画面の一例を示す図である。
【図９】本実施形態に係る通信機器の操作による主時計と小時計に表示される時刻の関係の一例を示す図である。
【図１０】本実施形態に係る時計の入力部の操作によるタイムゾーンの設定処理のフローチャートである。
【図１１】本実施形態に係る時計の入力部によって設定された場合の制御部が行う処理のフローチャートである。
【図１２】本実施形態に係る時計の入力部によって設定された場合の制御部が行う処理のフローチャートである。
【図１３】本実施形態に係る指針駆動処理のフローチャートである。
【図１４】本実施形態にかかる通信機器との通信における時計の処理のフローチャートである。
【図１５】本実施形態に係る通信機器から情報を受信したときの処理のフローチャートである。
【図１６】本実施形態に係る通信機器との通信を終了する際の処理のフローチャートである。
【図１７】本実施形態に係る通信機器との通信終了後の時刻表示の復帰処理のフローチャートである。
【発明を実施するための形態】
【００１６】
以下、本発明の実施の形態について図面を参照しながら説明する。
【００１７】
図１は、本実施形態に係る時計システム１の構成例を示すブロック図である。
図１に示すように、時計システム１は、通信機器２００と、通信機器２００と通信可能な時計１００とを備える。
【００１８】
時計１００は、制御部１０１、発振回路１０２、分周回路１０３、入力部１０４（第一選択部、第二選択部）、記憶部１０５、太陽電池１０６、充放電制御回路１０７、二次電池１０９、スイッチ１１０、無線通信制御部１１１（通信部）、電池電圧検出部１１２、秒針１２０Ａ、分針１２０Ｂ、時針１２０Ｃ、小時計指針１２０Ｄ、日車１２０Ｅ、指示指針１２０Ｆ、輪列機構１２１Ａ、輪列機構１２１Ｂ、輪列機構１２１Ｃ、輪列機構１２１Ｄ、輪列機構１２１Ｅ、輪列機構１２１Ｆ、ステッピングモータ１２２Ａ、ステッピングモータ１２２Ｂ、ステッピングモータ１２２Ｃ、ステッピングモータ１２２Ｄ、およびステッピングモータ１２２Ｅを備える。
なお、時計１００は、ケース、風防、文字盤（Ｄｉａｌ）、ベゼル、バンド等を備えている。
【００１９】
本実施形態の時計１００は、複数の地域や国の時刻を表示できる世界時計（Ｗｏｒｌｄ  ｔｉｍｅ  ｋｅｐｐｉｎｇ  ｉｎｓｔｒｕｍｅｎｔ）、いわゆるワールドタイムウォッチである。
【００２０】
なお、秒針１２０Ａ、分針１２０Ｂ、時針１２０Ｃ、小時計指針１２０Ｄ、および日車１２０Ｅのうち１つを特定しない場合は、指針１２０という。輪列機構１２１Ａ、輪列機構１２１Ｂ、輪列機構１２１Ｃ、輪列機構１２１Ｄ、輪列機構１２１Ｅ、および輪列機構１２１Ｆのうち１つを特定しない場合は、輪列機構１２１という。ステッピングモータ１２２Ａ、ステッピングモータ１２２Ｂ、ステッピングモータ１２２Ｃ、ステッピングモータ１２２Ｄ、およびステッピングモータ１２２Ｅのうち１つを特定しない場合は、モータ１２２という。
【００２１】
また、制御部１０１は、電源制御部１０１１、時刻カウント部１０１２、通信制御部１０１３、情報処理部１０１４、情報送受信部１０１５、および指針制御部１０１６を備える。
また、無線通信制御部１１１は、アンテナ１１１１、および近距離無線通信部１１１２を備える。
【００２２】
時計１００は、無線通信を介して通信機器２００から少なくとも情報を受信し、受信した情報に基づいて、秒針１２０Ａを駆動する。時計１００は、時刻を計時し、計時した時刻を、指針１２０を用いて表示する。
【００２３】
太陽電池１０６は、例えばソーラーパネルである。太陽電池１０６は、光エネルギーを電力に変換して、変換した電力を充放電制御回路１０７に出力する。
充放電制御回路１０７は、太陽電池１０６が出力した電力を、二次電池１０９に充電する。充放電制御回路１０７は、二次電池１０９の電圧値が所定の電圧値以上になった場合に放電させるか充電を停止させるように放電制御する。充放電制御回路１０７は、二次電池１０９に蓄電された電力を制御部１０１に供給する。充放電制御回路１０７は、制御部１０１に応じて、スイッチ１１０がオン状態のとき二次電池１０９に蓄電された電力を無線通信制御部１１１へ供給する。
【００２４】
二次電池１０９は、太陽電池１０６が発電した電気エネルギーを蓄える蓄電池である。二次電池１０９は、蓄えた電力を制御部１０１および無線通信制御部１１１へ供給する。
【００２５】
スイッチ１１０は、一端が二次電池１０９に接続され、他端が無線通信制御部１１１に接続されている。スイッチ１１０は、電源制御部１０１１によって制御される。
電池電圧検出部１１２は、二次電池１０９の電圧値を検出し、検出した電圧値を示す情報を制御部１０１へ出力する。
【００２６】
無線通信制御部１１１には、電源制御部１０１１の制御に応じて、二次電池１０９から電源が供給される。無線通信制御部１１１は、通信制御部１０１３が出力するデータを通信機器２００と行う通信方式の送信信号に変換し、変換した送信信号を電波に変換する。無線通信制御部１１１は、変換した電波を通信機器２００へ送信する。無線通信制御部１１１は、通信制御部１０１３の制御に応じて、通信機器２００が送信した電波を受信する。無線通信制御部１１１は、通信制御部１０１３の制御に応じて、受信した電波を電気信号に変換し、変換した電気信号を受信信号として通信制御部１０１３へ出力する。なお、実施形態では、送信信号、受信信号を含めて通信電波という。
【００２７】
近距離無線通信部１１１２は、通信制御部１０１３が出力するデータを通信機器２００と行う通信方式の送信信号に変換し、変換した送信信号をアンテナ１１１１に出力する。なお、時計１００と通信機器２００とが通信を行う通信方式は、Ｗｉ−Ｆｉ（Ｗｉｒｅｌｅｓｓ  Ｆｉｄｅｌｉｔｙ）規格や、Ｂｌｕｅｔｏｏｔｈ（登録商標）  ＬＥ（Ｌｏｗ  Ｅｎｅｒｇｙ）（以下、ＢＬＥという）規格の通信方式等である。以下の説明では、通信方式がＢＬＥの例を説明する。無線通信制御部１１１は、アンテナ１１１１が出力した電気信号を受信信号として通信制御部１０１３へ出力する。
【００２８】
アンテナ１１１１は、近距離無線通信部１１１２が出力した送信信号を電波に変換し、変換した電波を送信する。アンテナ１１１１は、受信した電波を電気信号に変換し、変換した電気信号を受信信号として近距離無線通信部１１１２へ出力する。
【００２９】
発振回路１０２は、例えば水晶振動子を備える。水晶振動子は、水晶の圧電現象を利用し、その機械的共振から第１の周波数を発振するために用いられる受動素子である。水晶振動子の発振周波数は、例えば３２ｋＨｚである。発振回路１０２は、水晶振動子を発振させて生成したクロック信号を分周回路１０３に出力する。
分周回路１０３は、発振回路１０２が出力したクロック信号の信号を所望の周波数に分周し、分周した基準信号を制御部１０１に出力する。基準信号の周波数は、例えば６４Ｈｚと３２Ｈｚである。
【００３０】
入力部１０４は、例えば竜頭、プッシュボタンである。入力部１０４は、利用者の操作を検出し、検出した操作結果を制御部１０１に出力する。竜頭の検出結果は、竜頭の回転角度等である。プッシュボタンの検出結果は、オン状態、またはオフ状態である。後述するように、本実施形態の時計１００では、竜頭の操作によって、動作モードが切り替わる。ここで、動作モードとは、時刻合わせモード（通常動作モード）、通信を行う通信モード等である。
【００３１】
記憶部１０５は、時計１００の制御に必要な情報、プログラムを記憶する。記憶部１０５は、後述する主時計の設定、小時計の設定それぞれを記憶する。なお、主時計、小時計については、後述する。
【００３２】
制御部１０１は、例えばＣＰＵ（Ｃｅｎｔｒａｌ  Ｐｒｏｃｅｓｓｉｎｇ  Ｕｎｉｔ）であり、時計１００が備える各部の制御を行う。制御部１０１は、二次電池１０９が出力する電力を用いて、各部を駆動する。制御部１０１は、時刻を計時し、計時した結果に基づいてモータ１２２を制御することで指針１２０を運針する。制御部１０１は、無線通信制御部１１１が受信した情報に応じて、指針１２０を駆動する駆動パルスを生成する。制御部１０１は、入力部１０４が出力した検出結果に応じて、指針１２０を調整する駆動パルスを生成する。主制御部２０は、生成した駆動パルスをモータ１２２へ出力する。制御部１０１は、電池電圧検出部１１２が検出した電圧値が所定値より高い場合にスイッチ１１０をオン状態に制御し、電圧値が所定値以下である場合にスイッチ１１０をオフ状態に制御する。
【００３３】
電源制御部１０１１は、無線通信制御部１１１の電源をオン状態またはオフ状態を制御する。具体的には、電源制御部１０１１は、無線通信制御部１１１が通信機器２００と通信するときにのみスイッチ１１０をオン状態に切り換えて二次電池１０９から無線通信制御部１１１に電力を供給するように制御する。また、電源制御部１０１１は、無線通信制御部１１１が通信機器２００と通信しないときにはスイッチ１１０をオフ状態に切り換えて二次電池１０９から無線通信制御部１１１に電力を供給しないように制御する。また、電源制御部１０１１は、電池電圧検出部１１２が検出した二次電池１０９の電圧値に応じて、各部を制御する。電源制御部１０１１は、例えば電圧値が閾値より低い場合、指針制御部１０１６に運針する間隔を変更するように制御する。
【００３４】
時刻カウント部１０１２、内部カウンタを備え、分周回路１０３から入力された基準信号に基づいて現在時刻（時分秒）を計時し、計時した時刻を示す指針位置情報を内部カウンタに保持する。
【００３５】
情報処理部１０１４は、入力部１０４が出力する検出結果を記憶部１０５に記憶させる。検出結果には、例えば、第１のタイムゾーンの協定世界時との時差、第２のタイムゾーンの協定世界時との時差、第３のタイムゾーンの協定世界時との時差、小時計の協定世界時との時差等が含まれる。情報処理部１０１４は、通信機器２００へ送信するデータを生成し、生成したデータを情報送受信部１０１５に出力する。情報処理部１０１４は、情報送受信部１０１５が出力した受信された受信情報を記憶部１０５に記憶させる。受信情報には、例えば、第１のタイムゾーンの協定世界時との時差、第２のタイムゾーンの協定世界時との時差、第３のタイムゾーンの協定世界時との時差、小時計の協定世界時との時差等が含まれる。
【００３６】
通信制御部１０１３は、無線通信制御部１１１を制御して、通信機器２００が送信した受信情報を受信する。通信制御部１０１３は、無線通信制御部１１１を制御して、通信機器２００へ送信情報を送信する。
【００３７】
情報送受信部１０１５は、情報処理部１０１４が出力したデータを近距離無線通信部１１１２へ出力する。情報送受信部１０１５は、近距離無線通信部１１１２が出力した受信されたデータを情報処理部１０１４に出力する。
【００３８】
指針制御部１０１６は、時刻カウント部１０１２のカウント値に応じて、運針要求を生成する。指針制御部１０１６は、生成した運針要求を実行し、駆動パルスを生成してモータ１２２に出力する。なお、駆動パルスは、指針１２０を１ステップ正転させる駆動信号であり、または指針１２０を１ステップ逆転させる駆動信号である。
【００３９】
ステッピングモータ１２２Ａ、ステッピングモータ１２２Ｂ、ステッピングモータ１２２Ｃ、ステッピングモータ１２２Ｄ、ステッピングモータ１２２Ｅそれぞれは、ステッピングモータである。
ステッピングモータ１２２Ａは、指針制御部１０１６が出力した駆動パルスによって、輪列機構１２１Ａを介して秒針１２０Ａを駆動する。ステッピングモータ１２２Ｂは、指針制御部１０１６が出力した駆動パルスによって、輪列機構１２１Ｂを介して分針１２０Ｂを駆動する。ステッピングモータ１２２Ｃは、指針制御部１０１６が出力した駆動パルスによって、輪列機構１２１Ｃを介して時針１２０Ｃを駆動する。ステッピングモータ１２２Ｄは、指針制御部１０１６が出力した駆動パルスによって、輪列機構１２１Ｄを介して小時計指針１２０Ｄを駆動する。ステッピングモータ１２２Ｅは、指針制御部１０１６が出力した駆動パルスによって、輪列機構１２１Ｅを介して日車Ｅを駆動する。
【００４０】
輪列機構１２１Ａ、輪列機構１２１Ｂ、輪列機構１２１Ｃ、輪列機構１２１Ｄ、輪列機構１２１Ｅ、および輪列機構１２１Ｆそれぞれは、少なくとも１つの歯車を含んで構成される。
【００４１】
秒針１２０Ａは、秒針である。分針１２０Ｂは、分針である。時針１２０Ｃは、時針である。秒針１２０Ａ、分針１２０Ｂ、時針１２０Ｃ、及び日車１２０Ｅの指針群は、第１の国や地域の時刻を表示する。小時計指針１２０Ｄは、後述するように分針１２０Ｄ１、時針１２０Ｄ２、および２４時針１２０Ｄ３を備える。分針１２０Ｄ１、時針１２０Ｄ２、および２４時針１２０Ｄ３の指針群は、第２の国や値域の時刻を表示する。なお、第１の国や地域の時刻と、第２の国や値域の時刻とは、同じ時刻であってもよい。
【００４２】
指示指針１２０Ｆは、竜頭１０４ａと機械的に輪列機構１２１Ｆを介して接続されている。指示指針１２０Ｆは、竜頭１０４ａの操作に応じて、動作モードの表示が切り替えて表示する。なお、指示指針１２０Ｆは、ステッピングモータを用いて駆動されるようにしてもよい。
【００４３】
＜通信機器の説明＞
次に、通信機器２００について説明する。
図１に示すように、通信機器２００は、制御部２０１、入力部２０２（第一選択部、第二選択部）、表示部２０３、記憶部２０４、アンテナ２０５、および近距離無線通信部２０６を備えている。
【００４４】
通信機器２００は、通信機能を有する機器、例えばスマートフォン、タブレット端末、携帯ゲーム機器、コンピュータ等である。通信機器２００は、例えばＧＰＳ（Ｇｌｏｂａｌ  Ｐｏｓｉｔｉｏｎｉｎｇ  Ｓｙｓｔｅｍ；グローバル・ポジショニング・システム）を備えていてもよい。
【００４５】
入力部２０２は、利用者からの操作入力を検出し、検出した操作結果を制御部２０１に出力する。入力部２０２は、例えば表示部２０３上に設けられているタッチパネルセンサーである。
【００４６】
制御部２０１は、後述するタイムゾーンの設定を行うアプリケーションが起動されたとき、ネットワークを介して、複数の都市それぞれの時刻の協定世界時との時差を取得し、取得した複数の都市それぞれの時刻の協定世界時との時差を対応付けて記憶部２０４に記憶させる。制御部２０１は、アプリケーションが起動されたとき、アプリケーションを表示部２０３に表示する。制御部２０１は、アプリケーションの指示に応じて、ネットワークを介して、複数の都市それぞれの夏時間の開始日時と終了日時を取得し、取得した複数の都市それぞれの夏時間の開始日時と終了日時を対応付けて記憶部２０４に記憶させる。なお、制御部２０１は、複数の都市それぞれの時刻の協定世界時との時差を、予め記憶部２０４に記憶させておいてもよい。そして、制御部２０１は、複数の都市それぞれの時刻の協定世界時との時差が更新されたときに、情報を取得して、記憶部２０４が記憶する情報を更新するようにしてもよい。
【００４７】
記憶部２０４は、通信機器２００の制御に必要な情報、プログラム、時計１００に対する指示を生成するアプリケーション等を記憶する。記憶部２０４は、複数の都市それぞれの時刻の協定世界時との時差を対応付けて記憶する。記憶部２０４は、複数の都市それぞれの夏時間の開始日時と終了日時を対応付けて記憶する。
【００４８】
表示部２０３は、情報を表示する装置である。表示部２０３は、一例として液晶表示装置（ＬＣＤ）、有機ＥＬ（ＥｌｅｃｔｒｏＬｕｍｉｎｅｓｃｅｎｃｅ）装置によって構成される。表示部２０３には、制御部２０１の制御に応じて、例えばアプリケーションの画像等が表示される。
【００４９】
近距離無線通信部２０６は、アンテナ２０５を介して少なくとも時計１００へ情報の送信を行う。近距離無線通信部２０６は、制御部２０１が出力した送信情報に基づいて送信信号を生成し、生成した送信信号を、アンテナ２０５を介して時計１００へ送信する。なお、近距離無線通信部２０６は、時計１００が送信した送信信号を、アンテナ２０５を介して受信し、受信した信号から情報を抽出し、抽出した情報を受信情報として制御部２０１へ出力するようにしてもよい。
【００５０】
アンテナ２０５は、近距離無線通信部２０６が出力した送信信号を電波に変換して、変換した電波を時計１００へ送信する。
【００５１】
＜文字盤上の配置例＞
次に、時計１００の秒針１２０Ａ、分針１２０Ｂ、時針１２０Ｃ、分針１２０Ｄ１、時針１２０Ｄ２、日車１２０Ｅ、および指示指針１２０Ｆの配置例を説明する。
図２は、本実施形態に係る時計１００の秒針１２０Ａ、分針１２０Ｂ、時針１２０Ｃ、分針１２０Ｄ１、時針１２０Ｄ２、日車１２０Ｅ、および指示指針１２０Ｆの配置例を示す図である。
【００５２】
図２に示すように、時計１００は、入力部１０４として、竜頭１０４ａ（第一選択部、第二選択部）、プッシュボタン１０４ｂ〜１０４ｄ（第一選択部、第二選択部）を備える。竜頭１０４ａは、例えば時刻合わせ等に使用される。プッシュボタン１０４ｂ〜１０４ｄは、動作モードの切り換え、クロノグラフ動作における動作の開始や終了、タイムゾーンの切り換え、タイマー動作の開始や終了、アラーム時刻の設定等に使用される。
【００５３】
また、時計１００は、表示手段として、第１の文字盤７２ａ、第１の目盛りリング７４、第２の目盛りリング７５、第２の文字盤７２ｂ、第３の文字盤７２ｃ、秒針１２０Ａ、分針１２０Ｂ、時針１２０Ｃ、分針１２０Ｄ１、時針１２０Ｄ２、日車１２０Ｅ、および指示指針１２０Ｆを備えている。
【００５４】
第１の文字盤７２ａには、インデックスバー７３が設けられている。また、第１の文字盤７２ａの外周には、第１の目盛りリング７４が設けられている。第１の目盛りリング７４は、固定され、協定世界時との時差を示す情報（−１２、−１１、・・・、０、１、・・・、１４）が刻印されている。第１の目盛りリング７４の外周には、第２の目盛りリング７５が設けられている。第２の目盛りリング７５は、固定され、都市や地域、国を表す情報（ＭＤＹ、ＨＮＬ、・・・、ＬＯＮ、ＰＡＲ、・・・、ＣＸＩ）が刻印されている。例えばＬＯＮは、ロンドンの都市名を表している。なお、図２に示した都市名の省略した表示は一例であり、これに限られない。
【００５５】
主時計は、第１の文字盤７２ａ、秒針１２０Ａ、分針１２０Ｂ、時針１２０Ｃ、日車１２０Ｅで構成されている。主時計は、例えば利用者が滞在している都市や国の時刻を計時して表示している。
小時計は、第２の文字盤７２ｂ、分針１２０Ｄ１、時針１２０Ｄ２で構成されている。主時計は、例えば利用者が主に生活している都市や国の時刻を計時して表示している。
【００５６】
また、第３の文字盤７２ｃと指示指針１２０Ｆは、３つの地域時刻表示の存在を示す小目盛を構成している。そして、この第３の文字盤７２ｃを、指示指針１２０Ｆが指し示すことで、動作モードが指し示される。
【００５７】
ここで、竜頭１０４ａ、プッシュボタン１０４ｂ〜１０４ｄの操作による動作モード、都市の選択例を説明する。
例えば、動作モードは、竜頭１０４ａ（第一選択部）の回転に応じて、複数の都市またはタイムゾーンの中から、３つの都市またはタイムゾーン（地域時刻情報）を選択する第１の選択が行われる。例えば、プッシュボタン１０４ｂが押される毎に、ＭＤＹから時計回りにＣＸＩまでを順番に指針制御部１０１６が秒針１２０Ａ駆動することで都市を指し示す。都市の決定は、例えばプッシュボタン１０４ｃを押すことで決定する。なお、上述した操作例は一例であり、これに限られない。
そして、動作モードの選択のとき、利用者は、入力部１０４（第二選択部）を操作し、時刻を知りたいタイムゾーン（ＴＩＭＥ１〜ＴＩＭＥ３のいずれか）を選択する（第２の選択）。
【００５８】
なお、通信機器２００から操作する場合は、複数の都市またはタイムゾーンの中から３つの都市またはタイムゾーンを、入力部２０２（第一選択部）を操作することで選択する（第１の選択）。そして、動作モードの選択のとき、利用者は、入力部２０２（第二選択部）を操作し、時刻を知りたいタイムゾーン（ＴＩＭＥ１〜ＴＩＭＥ３のいずれか）を選択する（第２の選択）。
【００５９】
＜タイムゾーン毎の表示例＞
次に、第１のタームゾーン（ＴＩＭＥ１）〜第３のタイムゾーン（ＴＩＭＥ３）の表示例を、図２〜図６を用いて説明する。以下に説明する例では、小時計に表示する時刻の都市が東京であり、第１のタイムゾーンの都市がニューヨークであり、第２のタイムゾーンの都市がロンドンであり、第３のタイムゾーンの都市がパリである例である。なお、第１のタームゾーン（ＴＩＭＥ１）〜第３のタイムゾーン（ＴＩＭＥ３）のぞれぞれの都市は、利用者が入力部１０４を操作して設定する。または、利用者は、後述するように通信機器２００で入力部２０２を操作してアプリケーションを起動して、アプリケーションから設定する。
【００６０】
まず、主時計に表示する時刻の都市がニューヨークであり、小時計に表示する都市の時刻が東京（ＴＹＯ）である例を、図２を用いて説明する。
図２に示す例は、指示指針１２０Ｆが、ＴＩＭＥ１を指し示し、第１のタイムゾーンの都市の時刻を、主時計で指し示す動作モードであることを示している。
秒針１２０Ａは、第２の目盛りリング７５上において、第１のタイムゾーンの都市であるＮＹＣ（ニューヨーク）を指し示している。また、秒針１２０Ａは、第１の目盛りリング７４上において、ニューヨークの時差が協定世界時と−５時間であることを指し示している。
分針１２０Ｂと時針１２０Ｃは、ニューヨークの時刻として、約８時１９分を指し示している。
日車１２０Ｅは、第１のタイムゾーンの都市の日付として２８日を示している。
また、小時計において、分針１２０Ｄ１と時針１２０Ｄ２とが、東京の時刻として約１０時１９分であることを指し示している。なお、東京とニューヨークとの時差は１４時間であり、東京の方がニュ−ヨークより１４時間進んでいる時刻であるため、ニューヨークが午後の８時１９分である場合、東京の時刻は、午前の１０時１９分である。
なお、秒針１２０Ａは、第１のタイムゾーンであるＮＹＣを差し示した所定の時間後、秒の計時を再開する。なお、所定の時間とは、例えば５秒である。
【００６１】
次に、主時計に表示する時刻の都市がロンドンであり、小時計に表示する都市の時刻が東京である例を、図３を用いて説明する。
図３は、本実施形態に係る第２のタームゾーンの表示例を示す図である。
図３に示す例は、指示指針１２０Ｆが、ＴＩＭＥ２を指し示し、第２のタイムゾーンの都市の時刻を、主時計で指し示す動作モードであることを示している。
秒針１２０Ａは、第２の目盛りリング７５上において、第２のタイムゾーンの都市であるＬＯＮ（ロンドン）を指し示している。また、秒針１２０Ａは、第１の目盛りリング７４上において、ロンドンの時差が協定世界時と０時間であることを指し示している。
分針１２０Ｂと時針１２０Ｃは、ロンドンの時刻として、約１時１９分を指し示している。
また、日車１２０Ｅは、第２のタイムゾーンの都市の日付として２９日を示している。
分針１２０Ｄ１と時針１２０Ｄ２とが、図２と同様に東京の時刻として約１０時１９分であることを指し示している。
なお、秒針１２０Ａは、第２のタイムゾーンであるＬＯＮを差し示した所定の時間後、秒の計時を再開する。
【００６２】
次に、主時計に表示する時刻の都市がパリであり、小時計に表示する都市の時刻が東京である例を、図４を用いて説明する。
図４は、本実施形態に係る第３のタームゾーンの表示例を示す図である。
図４に示す例は、指示指針１２０Ｆが、ＴＩＭＥ３を指し示し、第３のタイムゾーンの都市の時刻を、主時計で指し示す動作モードであることを示している。
秒針１２０Ａは、第２の目盛りリング７５上において、第３のタイムゾーンの都市であるＰＡＲ（パリ）を指し示している。また、秒針１２０Ａは、第１の目盛りリング７４上において、パリの時差が協定世界時と１時間であることを指し示している。
分針１２０Ｂと時針１２０Ｃは、パリの時刻として、約２時１９分を指し示している。
また、日車１２０Ｅは、第３のタイムゾーンの都市の日付として２９日を示している。
分針１２０Ｄ１と時針１２０Ｄ２とが、図２と同様に東京の時刻として約１０時１９分であることを指し示している。
なお、秒針１２０Ａは、第３のタイムゾーンであるＰＡＲを差し示した所定の時間後、秒の計時を再開する。
【００６３】
図５は、本実施形態に係る第１のタームゾーンの他の表示例を示す図である。
図２に示した例では、主時計によって、第１のタイムゾーンを指し示す例を示したが、時刻が２４時間表示ではないため、表示された時刻が午前（ＡＭ）であるのか、午後（ＰＭ）であるのかは、利用者が判断することになる。そこで、図５に示す例では、秒針１２０Ａによって、ＡＭ（午前）であるのか、ＰＭ（午後）であるのかを指し示す例である。なお、図５に示す表示は、図２の表示の所定時間後に図５の表示に切り替え、またはプッシュボタン１０４ｂ〜１０４ｄのいずれかが押された時に図２の表示から図５の表示に切り替えるようにしてもよい。
【００６４】
図５において、表示７６ａがＡＭを示し、表示７６ｂがＰＭを示している。図５に示す例では、秒針１２０Ａが、ＰＭを指し示しているため、ロンドンの時刻が午後の約８時１９分であることを指し示している例である。なお、図５においても、秒針１２０Ａは、ＰＭを差し示した所定の時間後、秒の計時を再開する。
なお、図５に示すように、表示７６ａ、表示７６ｂそれぞれの表示位置は、第１の目盛りリング７４および第２の目盛りリング７５に刻印が無い位置が望ましい。
【００６５】
図６は、本実施形態に係る主時計と小時計それぞれを２４時間表示させる例を示す図である。
図６に示す例では、時計１００は、さらに第４の文字盤７２ｄ、第５の文字盤７２ｅ、２４時針１２０Ｇ、および２４時針１２０Ｄ３を備えている。
第４の文字盤７２ｄと２４時針１２０Ｇは、主時計が指し示すタイムゾーンにおける時刻を２４時間表示する。例えばＬＯＮの位置を０度とした場合、９０度の位置が６時であり、１８０度の位置が１２時であり、２７０度の位置が１８時である。なお、２４時針１２０Ｇは、ステッピングモータ１２２Ｃ、輪列機構１２１Ｃによって駆動される。
第５の文字盤７２ｅと２４時針１２０Ｄ３は、小時計における時刻を２４時間表示する。なお、２４時針１２０Ｄ３は、ステッピングモータ１２２Ｄ、輪列機構１２１Ｄによって駆動される。
【００６６】
図２〜図６に示した主時計と小時計に表示される時刻の関係をさらに説明する。
図７は、本実施形態に係る時計１００の入力部１０４の操作による主時計と小時計に表示される時刻の関係の一例を示す図である。なお、図７に示した関係は、記憶部１０５が記憶する。
【００６７】
図７に示す例では、第１のタイムゾーンは、協定世界時（ＵＴＣ；Ｃｏｏｒｄｉｎａｔｅｄ  Ｕｎｉｖｅｒｓａｌ  Ｔｉｍｅ）との時差が−５時間であり、夏時間（ＤＳＴ；Ｄａｙｌｉｇｈｔ  Ｓａｖｉｎｇ  Ｔｉｍｅ、サマータイムともいう）が設定されていず、次に夏時間に切り換える日時が設定されていない。第２のタイムゾーンは、協定世界時との時差が０時間であり、夏時間が設定されていず、次に夏時間に切り換える日時が設定されていない。第３のタイムゾーンは、協定世界時との時差が＋１時間であり、夏時間が設定されていず、次に夏時間に切り換える日時が設定されていない。
【００６８】
また、小時計に表示される時刻は、協定世界時との時差が＋９時間であり、夏時間が設定されていず、次に夏時間に切り換える日時が設定されていない。
このような設定は、利用者が入力部１０４を操作して設定を行う。情報処理部１０１４は、入力部１０４によって操作結果に応じて、各設定を記憶部１０５に記憶させる。
【００６９】
次に、通信機器２００によって、主時計と小時計に表示させる時刻の設定例を説明する。
図８は、本実施形態に係る通信機器２００上で動作するタイムゾーンを設定するアプリケーションの画面の一例を示す図である。
【００７０】
図８に示す例は、通信機器２００上で、タイムゾーンを設定するアプリケーションが起動された後、表示部２０３に表示される設定画面の例である。
領域ｇ１は、世界地図を表示する領域である。領域ｇ２は、主時計の各設定を行う領域である。領域ｇ３は、小時計の各設定を行う領域である。送信ボタン画像ｇ４は、設定した情報を、時計１００へ送信するボタンの画像である。
【００７１】
設定方法の一例を、図８と図９を参照して説明する。
図９は、本実施形態に係る通信機器２００の操作による主時計と小時計に表示される時刻の関係の一例を示す図である。
利用者は、領域ｇ２のうち第１のタイムゾーンの設定を行うボタン画像ｇ２１を、例えばタップして選択する。そして、利用者は、第１のタイムゾーンに設定したい都市を、領域ｇ１の世界地図の画像をタップして選択する。なお、世界地図の画像において、タップされた位置に対応する都市名または国名を領域ｇ１内、または領域ｇ１外に表示するようにしてもよい。
【００７２】
図８、図９に示す例では、第１のタイムゾーン（ＴＩＭＥ１）としてニューヨークが選択された例である。このため、協定世界時との時差が−５時間である。設定された日時において、ニューヨークが夏時間ではないため、夏時間の設定がオフ状態（ＯＦＦ）状態であり、次に夏時間に切り換える日時が２０１７年３月１２日の午前２時に、＋１時間加算することで夏時間に切り換える指示が、この選択により設定される。
【００７３】
以下同様に、第２のタイムゾーン（ＴＩＭＥ２）として、領域ｇ２２と領域ｇ１とがタップされてロンドンが選択され、第３のタイムゾーン（ＴＩＭＥ３）として、領域ｇ２３と領域ｇ１とがタップされてパリが選択され、選択された結果に応じて、図９に示す設定が行われる。
【００７４】
さらに、利用者は、第１のタイムゾーンの表示時に小時計に表示する時刻の設定を行うため、領域ｇ２のうち小時計の第１に対応する設定を行うボタン画像ｇ３１を、例えばタップして選択する。通信機器２００から設定する場合、小時計に表示する地域や国の時刻は、タイムゾーン毎に設定することもできる。利用者は、第１に設定したい都市を、領域ｇ１の世界地図の画像をタップして選択する。図８、図９に示す例では、東京が選択された例である。このため、協定世界時との時差が＋９時間である。東京には夏時間がないため、夏時間の設定がオフ状態（ＯＦＦ）状態であり、次に夏時間に切り換える日時の設定も無し（ｎｕｌｌ）に設定される。
【００７５】
以下同様に、第２の設定として、領域ｇ３２と領域ｇ１とがタップされて東京が選択され、第３の設定として、領域ｇ３３と領域ｇ１とがタップされて東京が選択され、選択された結果に応じて、図９に示す設定が行われる。なお、領域ｇ３１〜領域ｇ３３の設定が同じ場合、例えば、小時計設定ｇ３４の領域を利用者がタップすることで、領域ｇ３１〜領域ｇ３３の設定を同一に一括して設定できるようにしてもよい。
【００７６】
利用者は、設定後、送信ボタン画像ｇ４を選択する。制御部２０１は、送信ボタン画像ｇ４が選択されたことを検出し、上述した設定内容を時計１００へ送信する。
時計１００の情報処理部１０１４は、通信機器２００から受信した情報を、記憶部１０５へ記憶させる。
【００７７】
なお、図８に示した例では、第１のタイムゾーンの設定も行う例を説明したが、これに限られない。第１のタイムゾーンの設定は、通信機器２００が現在使用されているタイムゾーンに応じたものであってもよい。この場合、通信機器２００は、ネットワークを介して得た位置情報に応じて、協定世界時との時差等の設定を行うようにしてもよい。または、小時計設定は、通信機器２００が現在使用されているタイムゾーンに応じたものであってもよい。
【００７８】
なお、図８に示した例では、時計１００の主時計と小時計の設定を通信機器２００側で行う例を示したが、通信機器２００側でクロノグラフ、アラーム、タイマーの開始や終了等の指示を行うようにしてもよい。
【００７９】
＜タイムゾーンの設定＞
次に、時計１００の入力部１０４によるタイムゾーンの設定処理手順を説明する。
図１０は、本実施形態に係る時計１００の入力部１０４によるタイムゾーンの設定処理のフローチャートである。
【００８０】
（ステップＳ６０１）利用者は、入力部１０４を操作して、設定したいタイムゾーンを選択する。入力部１０４は、利用者の操作した結果を検出し、検出した操作結果を情報処理部１０１４へ出力する。
【００８１】
（ステップＳ６０２）情報処理部１０１４は、入力部１０４が出力した操作結果を取得する。続けて、情報処理部１０１４は、ＴＩＭＥ１の設定モードであるか、他の設定モードであるか否かを判別する。情報処理部１０１４は、ＴＩＭＥ１の設定モードであると判別した場合（ステップＳ６０２；ＹＥＳ）、ステップＳ６０３に処理を進め、他の設定モードであると判別した場合（ステップＳ６０２；ＮＯ）、ステップＳ６０５に処理を進める。
【００８２】
（ステップＳ６０３）情報処理部１０１４は、ＴＩＭＥ１の主時計の設定を記憶部１０５に記憶させる。
（ステップＳ６０４）情報処理部１０１４は、小時計の設定を記憶部１０５に記憶させる。情報処理部１０１４は、処理後、タイムゾーンの設定処理を終了する。
【００８３】
（ステップＳ６０５）情報処理部１０１４は、ＴＩＭＥ２の設定モードであるか、他の設定モードであるか否かを判別する。情報処理部１０１４は、ＴＩＭＥ２の設定モードであると判別した場合（ステップＳ６０５；ＹＥＳ）、ステップＳ６０６に処理を進め、他の設定モードであると判別した場合（ステップＳ６０５；ＮＯ）、ステップＳ６０８に処理を進める。
【００８４】
（ステップＳ６０６）情報処理部１０１４は、ＴＩＭＥ２の主時計の設定を記憶部１０５に記憶させる。情報処理部１０１４は、処理後、タイムゾーンの設定処理を終了する。
【００８５】
（ステップＳ６０７）情報処理部１０１４は、ＴＩＭＥ３の設定モードであるか、他の設定モードであるか否かを判別する。情報処理部１０１４は、ＴＩＭＥ３の設定モードであると判別した場合（ステップＳ６０７；ＹＥＳ）、ステップＳ６０８に処理を進め、他の設定モードであると判別した場合（ステップＳ６０７；ＮＯ）、タイムゾーンの設定処理を終了する。
【００８６】
（ステップＳ６０８）情報処理部１０１４は、ＴＩＭＥ３の主時計の設定を記憶部１０５に記憶させる。情報処理部１０１４は、処理後、タイムゾーンの設定処理を終了する。
【００８７】
なお、図１０に示した例では、ＴＩＭＥ１の設定時に小時計の設定をする例を説明したが、これに限られない。小時計の設定は、ＴＩＭＥ１、ＴＩＭＥ２、ＴＩＭＥ３のうちの少なくとも１つで行うようにしてもよい。
また、図１０に示した例では、時計１００側でタイムゾーンの設定を行う例を説明したが、図８に示したように通信機器２００側で設定された情報を受信した場合、情報処理部１０１４は、受信後にステップＳ６０２以降の処理を行う。この場合、情報処理部１０１４は、タイムゾーン毎に小時計の設定を記憶部１０５に記憶させるようにしてもよい。
【００８８】
＜時計によって設定された場合の処理＞
次に、時計１００の入力部１０４によって設定された場合の制御部１０１が行う処理手順を説明する。
図１１と図１２は、本実施形態に係る時計１００の入力部１０４によって設定された場合の制御部１０１が行う処理のフローチャートである。なお、以下の説明では、動作モードが、第１のタイムゾーンの時刻表示動作（ＴＩＭＥ１）、第２のタイムゾーンの時刻表示動作（ＴＩＭＥ２）、第３のタイムゾーンの時刻表示動作（ＴＩＭＥ３）、クロノグラフ動作（ＣＨＲ）、アラーム動作（ＡＬＭ）、タイマー動作（ＴＭＲ）であるとする。
【００８９】
（ステップＳ１）利用者は、入力部１０４の竜頭１０４ａを、回転させて表示される動作モードの中から、設定したい動作モードを選択する。これにより、利用者は、選択したい動作モードを視覚的に認知することができる。入力部１０４は、利用者の操作した結果を検出し、検出した操作結果を情報処理部１０１４へ出力する。
【００９０】
（ステップＳ２）情報処理部１０１４は、入力部１０４が出力した操作結果を取得する。続けて、情報処理部１０１４は、動作モードがＴＩＭＥ１であるか、他の動作モードであるか否かを判別する。情報処理部１０１４は、動作モードが、ＴＩＭＥ１であると判別した場合（ステップＳ２；ＹＥＳ）、ステップＳ３に処理を進め、他の動作モードであると判別した場合（ステップＳ２；ＮＯ）、ステップＳ５に処理を進める。
【００９１】
（ステップＳ３）情報処理部１０１４は、記憶部１０５が記憶するＴＩＭＥ１の主時計の設定を読み出す。
（ステップＳ４）情報処理部１０１４は、記憶部１０５が記憶するＴＩＭＥ１の小時計の設定を読み出す。情報処理部１０１４は、処理後、ステップＳ１２（図１２）の処理に進める。
【００９２】
（ステップＳ５）情報処理部１０１４は、動作モードがＴＩＭＥ２であるか、他の動作モードであるか否かを判別する。情報処理部１０１４は、動作モードがＴＩＭＥ２であると判別した場合（ステップＳ５；ＹＥＳ）、ステップＳ６に処理を進め、他の動作モードであると判別した場合（ステップＳ５；ＮＯ）、ステップＳ８に処理を進める。
【００９３】
（ステップＳ６）情報処理部１０１４は、記憶部１０５が記憶するＴＩＭＥ２の主時計の設定を読み出す。
（ステップＳ７）情報処理部１０１４は、記憶部１０５が記憶するＴＩＭＥ２の小時計の設定を読み出す。情報処理部１０１４は、処理後、ステップＳ１２（図１２）の処理に進める。
【００９４】
（ステップＳ８）情報処理部１０１４は、動作モードがＴＩＭＥ３であるか、他の動作モードであるか否かを判別する。情報処理部１０１４は、動作モードがＴＩＭＥ３であると判別した場合（ステップＳ８；ＹＥＳ）、ステップＳ９に処理を進め、他の動作モードであると判別した場合（ステップＳ８；ＮＯ）、ステップＳ１１に処理を進める。
【００９５】
（ステップＳ９）情報処理部１０１４は、記憶部１０５が記憶するＴＩＭＥ３の主時計の設定を読み出す。
（ステップＳ１０）情報処理部１０１４は、記憶部１０５が記憶するＴＩＭＥ３の小時計の設定を読み出す。情報処理部１０１４は、読み出した情報を指針制御部１０１６に出力した後、ステップＳ１２（図１２）の処理に進める。
【００９６】
（ステップＳ１１）情報処理部１０１４は、他の動作モード（ＣＨＲ、ＡＬＭ、ＴＭＲ）それぞれに応じた処理を行う。なお、動作モード（ＣＨＲ、ＡＬＭ、ＴＭＲ）それぞれに応じた処理とは、動作モード毎の指針１２０の駆動目標値、指針１２０の駆動、プッシュボタン１０４ｂ〜１０４ｄへの機能の割り当て、竜頭１０４ａを引き戻したときの機能設定、モードスイッチ組合における存在しない組み合わせ時の設定（非存在モードスイッチ組合時設定）等である。処理後、情報処理部１０１４は、入力部１０４によって設定された場合の処理を終了する。
【００９７】
図１２に移り、処理の説明を続ける。
（ステップＳ１２）指針制御部１０１６は、秒針１２０Ａの駆動目標値として、主時計の都市、時差、タイムゾーンに基づく指示位置を設定する。なお、指示位置は、ＬＯＮ（０秒位置）を基準位置とした場合の指示位置までの駆動パルス数で示される。具体的には、指針制御部１０１６は、選択された動作モードの時差に基づいて、選択されたタイムゾーンの時刻を算出し、算出した位置に基づいて指示位置を設定する。
【００９８】
（ステップＳ１３）指針制御部１０１６は、分針１２０Ｂ、時針１２０Ｃ、日車１２０Ｅそれぞれに主時計の設定に基づく駆動目標値を設定する。なお、駆動目標値には、指示位置と、正転による駆動パルス数が含まれている。
【００９９】
（ステップＳ１４）指針制御部１０１６は、記憶部１０５が記憶する小時計の設定を読み出す。続けて、指針制御部１０１６は、小時計の設定に基づく駆動目標値を設定する。なお、駆動目標値には、指示位置と、正転による駆動パルス数が含まれている。
【０１００】
（ステップＳ１５）指針制御部１０１６は、各駆動目標値に基づいて、駆動パルスを生成する。指針制御部１０１６は、生成した駆動パルスによって、指針１２０それぞれを駆動する（以下、指針駆動処理という）。なお、指針駆動処理については、後述する。
【０１０１】
（ステップＳ１６）指針制御部１０１６は、駆動目標値を設定した全ての指針１２０が、目標値まで到達し、かつ所定時間が経過したか否かを判別する。指針制御部１０１６は、駆動目標値を設定した全ての指針１２０が、目標値まで到達していない、または所定時間が経過していないと判別した場合（ステップＳ１６；ＮＯ）、ステップＳ１６の処理を繰り返す。指針制御部１０１６は、駆動目標値を設定した全ての指針１２０が、目標値まで到達し、さらに目標値に対応する時刻から所定時間（例えば５秒）が経過したと判別した場合（ステップＳ１６；ＹＥＳ）、ステップＳ１７の処理に進める。
【０１０２】
（ステップＳ１７）指針制御部１０１６は、秒針１２０Ａの目標駆動値を、現在時刻の秒に応じた値に再設定する。
【０１０３】
（ステップＳ１８）指針制御部１０１６は、秒針１２０Ａを駆動する（指針駆動処理）。処理後、制御部１０１は、入力部１０４によって設定された場合の処理を終了する。
【０１０４】
次に、図１２のステップＳ１５、ステップＳ１８について、さらに説明する。
図１３は、本実施形態に係る指針駆動処理のフローチャートである。
（ステップＳ１０１）指針制御部１０１６は、駆動目標値を設定した全ての秒針１２０Ａにおいて、秒針１２０Ａ毎に、現在の秒針１２０Ａの位置と駆動目標値との差分それぞれから、駆動パルスそれぞれを算出する。なお、時刻に対する駆動目標値は、別途、時刻カウント部１０１２によって行われる計時処理によって、更新される。
【０１０５】
（ステップＳ１０２）指針制御部１０１６は、駆動にかかる時間から、秒針１２０Ａを正転させて目標位置へ移動させるか、逆転させて移動させるかを判別する。続けて、指針制御部１０１６は、判別した結果に基づいて、回転方向が逆転の場合に駆動パルス数を補正する。なお、駆動パルス数の補正では、例えば正転で５０だった値を、逆転で１０（＝６０−５０）に補正する。
【０１０６】
（ステップＳ１０３）指針制御部１０１６は、算出した駆動パルス数の駆動パルスを生成し、１パルスずつモータ１２２へ供給することで指針１２０の駆動を開始する。なお、逆転回転を行う場合、指針制御部１０１６は、適宜、輪列が有する歯車同士の遊び分に対するバックラッシュの対する補正駆動を行う。
（ステップＳ１０４）指針制御部１０１６は、指針１２０を１パルス分駆動する毎に、指針１２０の位置（指針位置）を更新する。
【０１０７】
（ステップＳ１０５）指針制御部１０１６は、駆動目標値を設定した全ての指針１２０が駆動目標値に達したか、すなわち目標とする駆動パルス数分駆動されたか否かを判別する。指針制御部１０１６は、駆動目標値を設定した全ての指針１２０が駆動目標値に達していないと判別した場合（ステップＳ１０５；ＮＯ）、処理をステップＳ１０３へ戻す。指針制御部１０１６は、駆動目標値を設定した全ての指針１２０が駆動目標値に達したと判別した場合（ステップＳ１０５；ＹＥＳ）、指針駆動処理を終了する。
【０１０８】
ここで、ステップＳ１０２で駆動にかかる時間で判別する理由を説明する。
指針１２０を移動する位置によっては、正転で移動させるより逆転で移動させた方が早い場合がある。また、モータ１２２がステッピングモータであるため、正転にかかる時間の方が、逆転にかかる時間より短い場合がある。例えば、秒針１２０Ａを０秒の位置から３１秒の位置へ移動させる場合、駆動パルスの数は正転の場合が３１個、逆転の場合が２９個である。しかしながら、上述したように逆転の１パルスの方が正転の１パルスより時間がかかるため、このような場合、正転時間の方が短い。このように、正転を行うか逆転を行うかを、指針制御部１０１６は、駆動にかかる時間から判別するようにしてもよい。
【０１０９】
＜時計１００と通信機器２００との通信＞
図１１〜図１３で説明した処理は、時計１００の入力部１０４が利用者にもって操作させた場合の処理の例を説明した。
次に、時計１００が通信機器２００と通信を行い、通信した結果に基づいて、指針１２０を駆動するときの処理手順の例を説明する。なお、以下の説明において、時計１００と通信機器２００とは、ＢＬＥの通信規格を用いて通信する例を説明する。また、以下の処理の開始前、すなわち、時計１００が通信機器２００と通信を行っていないとき、制御部１０１は、無線通信制御部１１１への電源供給を停止することで、時計１００の消費電力を低減している。
図１４は、本実施形態にかかる通信機器２００との通信における時計１００の処理のフローチャートである。
【０１１０】
まず、利用者は、図８を用いて説明したように、通信機器２００を操作して、設定を時計１００へ送信するように、アプリケーションを操作する。続けて、通信機器２００は、時計１００へ、情報の送信を開始する。
【０１１１】
（ステップＳ２０１）利用者は、時計１００の入力部１０４を操作して、受信を行う状態を選択する。続けて、通信制御部１０１３は、入力部１０４の操作に基づいて、通信が開始されたか、または通信が開始される操作が行われたかを判別する。通信制御部１０１３は、通信が開始されていないと判別した場合（ステップＳ２０１；ＮＯ）、ステップＳ２０１の処理を繰り返す。通信制御部１０１３は、通信が開始されたと判別した場合（ステップＳ２０１；ＹＥＳ）、ステップＳ２０２の処理に進める。
【０１１２】
（ステップＳ２０２）通信制御部１０１３は、通信が開始されたことを示す情報を電源制御部１０１１に出力する。続けて、電源制御部１０１１は、無線通信制御部１１１への電力供給を開始（オン状態）に制御する。
（ステップＳ２０３）通信制御部１０１３は、無線通信制御部１１１の起動が完了したか否かを判別する。通信制御部１０１３は、無線通信制御部１１１の起動が完了していないと判別した場合（ステップＳ２０３；ＮＯ）、ステップＳ２０３の処理を繰り返す。通信制御部１０１３は、無線通信制御部１１１の起動が完了したと判別した場合（ステップＳ２０３；ＹＥＳ）、ステップＳ２０４の処理に進める。なお、通信制御部１０１３は、無線通信制御部１１１が起動したか否かを、例えば無線通信制御部１１１の所定の端子の電圧値が閾値以上であるか否かによって判別するか、無線通信制御部１１１へコマンドを送信し、送信したコマンドへの応答の有り無しによって判別する。
【０１１３】
（ステップＳ２０４）通信制御部１０１３は、無線通信制御部１１１へ通信を開始する設定を行う。続けて、通信制御部１０１３は、無線通信制御部１１１を制御して、通信機器２００との通信を開始する。なお、通信確立、通信の手順は、ＢＬＥ通信規格に基づく。
【０１１４】
（ステップＳ２０５）通信制御部１０１３は、通信機器２００との通信が確立されたか否かを判別する。通信制御部１０１３は、通信機器２００との通信が確立されていないと判別した場合（ステップＳ２０５；ＮＯ）、ステップＳ２０５の処理を繰り返す。通信制御部１０１３は、通信機器２００との通信が確立されたと判別した場合（ステップＳ２０５；ＹＥＳ）、ステップＳ２０６の処理に進める。
【０１１５】
（ステップＳ２０５）通信制御部１０１３は、通信機器２００へ、通信開始準備が完了したことを示す情報を送信する。
以下、時計１００は通信機器２００と、情報の送受信を行う。
【０１１６】
次に、通信機器２００から情報を受信したときの処理手順の一例を説明する。
図１５は、本実施形態に係る通信機器２００から情報を受信したときの処理のフローチャートである。
【０１１７】
（ステップＳ３０１）情報処理部１０１４は、受信した情報の中にＴＩＭＥ１、ＴＩＭＥ２、ＴＩＭＥ２の主時計の時間設定、小時計の設定に関する指示（コマンド）が有るか否かを判別する。情報処理部１０１４は、前述したコマンドが無いと判別した場合（ステップＳ３０１；ＮＯ）、ステップＳ３０１の処理を繰り返す。情報処理部１０１４は、前述したコマンドが有ると判別した場合（ステップＳ３０１；ＹＥＳ）、ステップＳ３０２の処理に進む。
【０１１８】
（ステップＳ３０２）情報処理部１０１４は、記憶部１０５が記憶するＴＩＭＥ１、ＴＩＭＥ２、ＴＩＭＥ２の主時計の時間設定、小時計の設定を更新する。情報処理部１０１４は、更新後、処理を終了する。
【０１１９】
次に、通信機器２００との通信を終了する際の処理手順の一例を説明する。
図１６は、本実施形態に係る通信機器２００との通信を終了する際の処理のフローチャートである。
【０１２０】
（ステップＳ４０１）通信制御部１０１３は、通信機器２００より通信の切断要求があるか否かを判別する。通信制御部１０１３は、通信の切断要求がないと判別した場合（ステップＳ４０１；ＮＯ）、ステップＳ４０１の処理を繰り返す。通信制御部１０１３は、通信の切断要求があると判別した場合（ステップＳ４０１；ＹＥＳ）、ステップＳ４０２の処理に進める。
【０１２１】
（ステップＳ４０２）通信制御部１０１３は、通信機器２００との通信が完了した後、無線通信制御部１１１への電力供給を停止（ＯＦＦ）になるように制御する。
以上で、通信機器２００との通信を終了する。
【０１２２】
図１７は、本実施形態にかかる通信機器２００との通信終了後の時刻表示の復帰処理のフローチャートである。
（ステップＳ５０１）情報処理部１０１４は、通信機器２００との通信終了後、図１１と図１２で説明した動作モード切り替えの処理を行う。
【０１２３】
なお、上述した例では、３つの国や地域（３つのタイムゾーン）の時刻を切り換えて表示する例を説明したが、切り換えて表示するタイムゾーンの数は４つ以上であってもよい、この場合、例えば第３の文字盤７２ｃには、ＴＩＭＥ１〜ＴＩＭＥ４の表示があり、指示指針１２０ＦがＴＩＭＥ１〜ＴＩＭＥ４のいずれかを指し示し、上述したように各タイムゾーンの時刻を表示するようにしてもよい。
【０１２４】
以上のように、本実施形態によれば、時計１００に表示する時刻の都市・タイムゾーンを任意に設定できる表示モード（表示形態）を３つ以上備え、操作部材によって切り替えることができる。すなわち、本実施形態によれば、入力部１０４の操作により同一の時分秒針を３つ以上の時刻表示に切り替えることができる。本実施形態の時計１００は、例えば３つの時刻表示を１つの文字盤上に同時に行う時計と比較して、小型化を実現することができる。
【０１２５】
また、本実施形態によれば、さらに主時計よりも表示領域が小さな小時計を備え、小時計は、上記の表示形態において、主時計とは独立した時刻を示すことができる。すなわち、本実施形態によれば、小時計に表示した時刻を保ったまま、主時計の時刻を３つ以上に切り替えられる指針式の時計１００を実現することができる。小時計には、例えばいわゆるホームタイムである主に生活する都市の時刻を表示させ、主時計には、取引先、旅行先、または現在地の時刻等の都市の時刻を表示させることができる。
【０１２６】
また、本実施形態によれば、第３の文字盤７２ｃに３つの表示モード（表示形態）の種別を示す目盛（第３の文字盤７２ｃ）と、指示指針１２０Ｆを備え、入力部１０４の操作によって、今表示している表示モード（表示形態）の種別を示すことができる。なお、種別とは、ＴＩＭＥ１、ＴＩＭＥ１２、ＴＩＭＥ３である。なお、第３の文字盤７２ｃに刻印される種別は、これに限られず、ＴＩＭＥ  ＺＯＮＥ１、ＴＩＭＥ  ＺＯＮＥ２、・・・、都市１、都市２等であってもよい。すなわち、本実施形態によれば、３つ以上の異なる時刻を表示することが可能で、一つの文字盤に２つの時刻を表示することが出来る時計において、３つ以上の種別を、指針で表示することができ指針とタイムゾーンとの対応関係が変更できる。
【０１２７】
また、本実施形態によれば、動作モードを切り替えた時に、時刻を表示する指針１２０の一部である秒針１２０Ａで、指針で表示するタイムゾーンに関する情報を一旦表示し、その後時刻表示にすることができるので、時計１００を小型化できる。
ここで、秒針１２０Ａによって、一旦表示する情報とは、都市情報、又はタイムゾーン情報である。また、秒針１２０Ａによって、一旦表示する情報が、ＡＭ／ＰＭ情報である。
【０１２８】
また、本実施形態によれば、主時計の一つの時刻は、通信機器２００の所在地に応じた時刻となり、他の時刻は固定の都市（タイムゾーン）の時刻とすることができる。
【０１２９】
また、本実施形態では、予め３つの都市を選択して時計１００に記憶させておくため、利用者は、各都市の時間を知りたいときに、多数の都市から所望の都市を見つけ出し選択するという煩雑な操作をすることなく、単に動作モードの切り換えという操作によって、各都市の時間を知ることができるので、利便性が向上する。このように、例えば、使用頻度の高い３つ以上の都市・タイムゾーンに対応する時刻を予め設定しておくことで、利便性が向上する。例えば、従来の時計では、都市を選択する場合、例えば二十カ国が時計に登録されている場合、最大二十回、操作部を操作して都市を選択する必要があった。さらに、２つの都市の時刻それぞれを知りたい場合は、これらの操作を繰り返す必要があった。一方、本実施形態によれば、入力部１０４を数回操作することで、設定してある複数の都市の時間それぞれを知ることができる。また、本実施形態によれば、例えば、上記の竜頭等の腕時計の回転操作等によって各都市のモードを切り替えることができるので、従来の腕時計の操作感を損なうことなく、換言すれば、従来の腕時計の操作感を維持しつつ、簡便に各時刻を設定できる。よって、腕時計で各都市時刻設定を行う際の利便性が向上する。
【０１３０】
なお、本発明における制御部１０１の機能の一部または全てを実現するためのプログラムをコンピュータ読み取り可能な記録媒体に記録して、この記録媒体に記録されたプログラムをコンピュータシステムに読み込ませ、実行することにより制御部１０１が行う処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１３１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【０１３２】
１…時計システム、７２…文字盤、７３…インデックスバー、７４…第１の目盛りリング、７５…第２の目盛りリング、７６ａ，７６ｂ…表示、１００…時計、１０１…制御部、１０２…発振回路、１０３…分周回路、１０４…入力部、１０５…記憶部、１０６…太陽電池、１０７…充放電制御回路、１０９…二次電池、１１２…電池電圧検出部、１１０…スイッチ、１１１…無線通信制御部、１２０…指針、１２０Ａ…秒針、１２０Ｂ…分針、１２０Ｃ…時針、１２０Ｄ…小時計指針、１２０Ｄ１…分針、１２０Ｄ２…時針、１２０Ｄ３…２４時針、１２０Ｅ…日車、１２０Ｆ…指示指針、１２０Ｇ…２４時針、１２１，１２１Ａ，１２１Ｂ，１２１Ｃ，１２１Ｄ，１２１Ｅ，１２１Ｆ…輪列機構、１２２…モータ、１２２Ａ，１２２Ｂ，１２２Ｃ，１２２Ｄ，１２２Ｅ…ステッピングモータ、１０１１…電源制御部、１０１２…時刻カウント部、１０１３…通信制御部、１０１４…情報処理部、１０１５…情報送受信部、１０１６…指針制御部、１１１１…アンテナ、１１１２…近距離無線通信部、２００…通信機器、２０１…制御部、２０２…入力部、２０３…表示部、２０４…記憶部、２０５…アンテナ、２０６…近距離無線通信部
【図１】
2018112426.tif 000003
【図２】
2018112426.tif 000004
【図３】
2018112426.tif 000005
【図４】
2018112426.tif 000006
【図５】
2018112426.tif 000007
【図６】
2018112426.tif 000008
【図７】
2018112426.tif 000009
【図８】
2018112426.tif 000010
【図９】
2018112426.tif 000011
【図１０】
2018112426.tif 000012
【図１１】
2018112426.tif 000013
【図１２】
2018112426.tif 000014
【図１３】
2018112426.tif 000015
【図１４】
2018112426.tif 000016
【図１５】
2018112426.tif 000017
【図１６】
2018112426.tif 000018
【図１７】
2018112426.tif 000019